(57)【要約】【課題】電子レンジを用いて、容易に食品の上下両面に同時に焦げ目をつけることができる電子レンジ加熱調理用容器を提供する。【解決手段】底部と、該底部より立ち上がる側部とからなる容器本体と、蓋とを有し、前記底部と前記蓋のそれぞれの内面にマイクロ波の照射により発熱する発熱体を設けた紙製の容器であって、食品を前記容器の中に収納したときに、該食品に前記底部と前記蓋の前記発熱体が接触することを特徴とする。さらに、前記蓋が蓋本体と該蓋本体に連設されたフラップとを有し、前記側部で囲われた前記容器の内方に前記蓋本体を挿入したときに、前記フラップが前記側部に接触して、前記容器の中に収納した前記食品に前記蓋本体が接触した位置で維持可能であることを特徴とする。【選択図】図３
2011230791.tif 000002
【特許請求の範囲】
【請求項１】
底部と、該底部より立ち上がる側部とからなる容器本体と、蓋とを有し、前記底部と前記蓋のそれぞれの内面にマイクロ波の照射により発熱する発熱体を設けた紙製の容器であって、食品を前記容器の中に収納したときに、該食品に前記底部と前記蓋の前記発熱体が接触することを特徴とする電子レンジ加熱調理用容器。
【請求項２】
前記蓋が蓋本体と該蓋本体に連設されたフラップとを有し、前記側部で囲われた前記容器の内方に前記蓋本体を挿入したときに、前記フラップが前記側部に接触して、前記容器の中に収納した前記食品に前記蓋本体が接触した位置で維持可能であることを特徴とする請求項１に記載の電子レンジ加熱調理用容器。
【請求項３】
前記容器が前記底部と前記側部からなる前記容器本体と、該容器本体と別体の前記蓋からなり、前記容器本体は、方形の前記底部と、該底部の４辺に延設される４つの前記側部と、隣接する２つの前記側部の間にそれぞれ、折込片が前記２つの側部をつなぐように設けられていて、前記蓋は前記側部で囲われた前記容器の内方に挿入可能で、略相似形の前記蓋本体と該蓋本体の少なくとも対向する２辺に前記フラップが設けられていることを特徴とする、請求項１または2に記載の電子レンジ加熱調理用容器。
【請求項４】
前記容器が前記底部と前記側部からなる前記容器本体と、ひとつの前記側部の端縁に接続して設けられた屈曲自在部を介して接続する前記蓋とからなり、前記容器本体は、方形の前記底部と、該底部の４辺に延設される４つの前記側部と、隣接する２つの前記側部の間にそれぞれ、折込片が前記２つの側部をつなぐように設けられていて、前記蓋は前記側部で囲われた前記容器本体の内方に挿入可能で、前記容器本体と略相似形の蓋本体と、前記屈曲自在部の設けられていない前記蓋本体の辺に、前記フラップが設けられていることを特徴とする、請求項１または2に記載の電子レンジ加熱調理用容器。
【請求項５】
前記フラップの端縁につまみが設けられていることを特徴とする請求項２乃至４のいずれかに記載の電子レンジ加熱調理用容器。
【発明の詳細な説明】
【技術分野】
【０００１】
本発明は、電子レンジ加熱調理用容器に関するものである。
【背景技術】
【０００２】
従来より、マイクロ波を吸収して発熱するシート状の発熱体は、開発された当初は電子レンジでのポップコーンの発泡調理などに利用され、その後も、各種食品の加熱調理に利用されてきた。例えば、シート状の発熱体に千鳥状に破線状の切れ目を設け、これを筒状にして、冷凍の魚をこれに入れて、電子レンジで加熱して、魚に発熱体による焼き目を付けて、解凍調理するものがあった。
【０００３】
また、容器の底部に発熱体が取り付けられた電子レンジ加熱調理用容器があり、その内部に焼きおにぎりやお好み焼き、ピザなどの被加熱物を収容し、これを電子レンジにて加熱すると、電子レンジから照射されたマイクロ波により、発熱体の金属薄膜層で渦電流が発生し、そのジュール熱によって発熱体が発熱し、この発熱によって被加熱物に焦げ目が付き、出来立てのようなクリスピーな食感を付与することができる電子レンジ加熱調理用容器がある。（特許文献１）
公知文献を以下に示す。
【先行技術文献】
【特許文献】
【０００４】
【特許文献１】特開２００８−２８９６９２号公報
【発明の概要】
【発明が解決しようとする課題】
【０００５】
電子レンジ加熱調理用容器としては、上記の様に容器の底部に発熱体を設置したものがあったが、食品の上下両面に焦げ目をつけるものは無かった。例えば、冷えた米飯から、容易に温かいおこげのご飯を電子レンジで作ることは出来なかった。
【０００６】
このように、冷えた米飯から、容易に温かいおこげの付いたご飯を電子レンジで作ることが出来れば、中華スープなどを用いて中華おこげを作ったり、混ぜご飯の素を用いたおこげの釜飯を作ることが出来る。
【０００７】
本発明は、電子レンジを用いて、容易に食品の上下両面に同時に焦げ目をつけることができる電子レンジ加熱調理用容器を提供することを課題とする。
【課題を解決するための手段】
【０００８】
本発明は係る課題に鑑みなされたものであり、請求項１の発明は、底部と、該底部より立ち上がる側部とからなる容器本体と、蓋とを有し、前記底部と前記蓋のそれぞれの内面にマイクロ波の照射により発熱する発熱体を設けた紙製の容器であって、食品を前記容器の中に収納したときに、該食品に前記底部と前記蓋の前記発熱体が接触することを特徴とする電子レンジ加熱調理用容器である。
【０００９】
本発明の電子レンジ調理用容器は、以上のような構成であって、中に収納した食品に底部と蓋の発熱体が接触するので、電子レンジを用いて、食品の上下面に同時に焦げ目をつけることが出来る。
【００１０】
本発明の請求項２の発明は、前記蓋が蓋本体と該蓋本体に連設されたフラップとを有し、前記側部で囲われた前記容器の内方に前記蓋本体を挿入したときに、前記フラップが前記側部に接触して、前記容器の中に収納した前記食品に前記蓋本体が接触した位置で維持可能であることを特徴とする請求項１に記載の電子レンジ加熱調理用容器である。
【００１１】
本発明の電子レンジ調理用容器は、更に、蓋がフラップを有し、フラップが容器の側面に接触して、容器の中に収納した食品に蓋が接触した位置で維持可能としたので、食品の上面の凹凸をならして、密着されるので、効率的に焦げ目をつけることが出来る。
【００１２】
本発明の請求項３の発明は、前記容器が前記底部と前記側部からなる前記容器本体と、該容器本体と別体の前記蓋からなり、前記容器本体は、方形の前記底部と、該底部の４辺に延設される４つの前記側部と、隣接する２つの前記側部の間にそれぞれ、折込片が前記２つの側部をつなぐように設けられていて、前記蓋は前記側部で囲われた前記容器の内方に挿入可能で、略相似形の前記蓋本体と該蓋本体の少なくとも対向する２辺に前記フラップが設けられていることを特徴とする、請求項１または2に記載の電子レンジ加熱調理用容器である。
【００１３】
本発明の電子レンジ調理用容器は、上記構造にすることによって、容器本体が折畳可能となり、使用時まで、折り畳んで保管や輸送が出来るので、便利である。また、蓋本体に設けられたフラップで、容器の内方に挿入されたとき、対向する少なくとも２つの側面に接触して維持されることになり、蓋の位置が安定する。
【００１４】
本発明の請求項４の発明は、前記容器が前記底部と前記側部からなる前記容器本体と、ひとつの前記側部の端縁に接続して設けられた屈曲自在部を介して接続する前記蓋とからなり、前記容器本体は、方形の前記底部と、該底部の４辺に延設される４つの前記側部と、隣接する２つの前記側部の間にそれぞれ、折込片が前記２つの側部をつなぐように設けられていて、前記蓋は前記側部で囲われた前記容器本体の内方に挿入可能で、前記容器本体と略相似形の蓋本体と、前記屈曲自在部の設けられていない前記蓋本体の辺に、前記フラップが設けられていることを特徴とする、請求項１または2に記載の電子レンジ加熱調理用容器である。
【００１５】
本発明の電子レンジ調理用容器は、上記構造にすることによって、容器が折畳可能となり、使用時まで、折り畳んで保管や輸送が出来るので、便利である。また、屈曲自在部を屈曲させることによって、蓋本体を収納した食品に接触する位置にすることができ、フラップと協働して、収納した食品に接触する位置に、蓋本体を維持することができて、蓋の位置が安定する。
【００１６】
本発明の請求項５の発明は、前記フラップの端縁につまみが設けられていることを特徴とする請求項２乃至４のいずれかに記載の電子レンジ加熱調理用容器である。
【００１７】
本発明の電子レンジ加熱調理用容器は、フラップの端縁につまみが設けられているので、電子レンジで調理後、つまみを持つことによって、容易に開けることができる。
【発明の効果】
【００１８】
本発明の電子レンジ加熱調理用容器は、電子レンジを用いて、容易に食品の上下両面に同時に焦げ目をつけることができる。これを利用して、冷えた米飯から、温かいおこげの付いたご飯を電子レンジで作ることが出来、中華スープなどを用いて中華おこげを作ったり、混ぜご飯の素を用いておこげある釜飯を作ることが出来る。
【図面の簡単な説明】
【００１９】
【図１】本発明の電子レンジ加熱調理用容器の一例の展開図である。（Ａ）は容器本体の展開図である。（Ｂ）は蓋の展開図である。
【図２】（Ａ）本発明の電子レンジ加熱調理用容器の一例の容器本体を折畳んだ状態を示す説明図である。（Ｂ）本発明の電子レンジ加熱調理用容器の一例の容器本体を起した状態を示す説明図である。（Ｃ）本発明の電子レンジ加熱調理用容器の一例の蓋を内面が上を向いた状態を示す説明図である。（Ｄ）本発明の電子レンジ加熱調理用容器の一例の容器本体に蓋を被せた状態を示す説明図である。
【図３】本発明の電子レンジ加熱調理用容器の一例の断面を模式的に表す説明図である。
【図４】本発明の電子レンジ加熱調理用容器の他の例の展開図である。
【図５】本発明の電子レンジ加熱調理用容器の他の例を折畳んだ状態を示す説明図である。
【図６】本発明の電子レンジ加熱調理用容器の他の例の断面を模式的に表す説明図である。
【図７】本発明の電子レンジ加熱調理用容器の一例に用いる発熱体を説明する断面図である。
【発明を実施するための形態】
【００２０】
以下本発明を実施するための形態につき説明する。
図１は、本発明の電子レンジ加熱調理用容器の一例の容器の内面側から見た展開図であり、（Ａ）は容器本体の展開図、（Ｂ）は蓋の展開図である。
図２（Ａ）は、本発明の電子レンジ加熱調理用容器の一例の容器本体を折畳んだ状態を示す説明図である。（Ｂ）は、本発明の電子レンジ加熱調理用容器の一例の容器本体を起した状態を示す説明図、（Ｃ）は、本発明の電子レンジ加熱調理用容器の一例の蓋を内面が下を向いた状態を示す説明図、（Ｄ）は、本発明の電子レンジ加熱調理用容器の一例の容器本体に蓋を被せた状態を示す説明図である。
図３は、本発明の電子レンジ加熱調理用容器の一例の断面を模式的に表す説明図である。
【００２１】
本例の電子レンジ加熱調理用容器は、図１に示すように、容器本体１と蓋２からなる容器の前記容器本体１の底部３の内面、および、前記蓋２の内面にマイクロ波を吸収し発熱する発熱体４、４を設けている。
【００２２】
容器本体１は、方形の底部３と、底部３の４辺に延設される４つの側面５、６、７、８と、隣接する２つの前記側面の間にそれぞれ、折込片９、１０、１１、１２が前記２つの側面をつなぐように設けられていて、それぞれの間に折罫(図中、折罫は一点破線、あるいは、二点破線で記載)が設けられている。
【００２３】
折込片９、１０、１１、１２は、斜めの折罫ｍによって、折込片９ａと折込片９ｂ、折込片１０ａと折込片１０ｂ、折込片１１ａと折込片１１ｂ、折込片１２ａと折込片１２ｂに分かれている。
【００２４】
前記蓋２は、前記側面で囲われた前記容器の内方に挿入可能な略相似形の蓋本体１３と、蓋本体１３の４辺にフラップ１４、１５、１６、１７が設けられていて、フラップ１４とフラップ１６の端縁には、それぞれつまみ１８、１８が設けられている。そして、それぞれの間に折罫が設けられている。
【００２５】
図２は、本発明の電子レンジ加熱調理用容器の一例を斜視した説明図である。
図２（Ａ）に示すように、容器本体１は折畳めるようになっている。図１の側面６と底部３の間の罫線、側面５と折込片９の間の罫線、側面７と折込片１０の間の罫線を折り、反対側も、側面８と底部３の間の罫線、側面５と折込片１２の間の罫線、側面７と折込片１１の間の罫線を折る。
【００２６】
次に、側面５と底部３の間の罫線、側面６と折込片９の間の罫線、側面８と折込片１２の間の罫線を折り、折込片９ｂを側面６に接着させ、折込片１２ｂを側面８に接着する。反対側の同様に、側面７底部３の間の罫線、側面６と折込片１０の間の罫線、側面８と折込片１１の間の罫線を折り、折込片１０ｂを側面６に接着させ、折込片１１ｂを側面８に接着する。これによって、折り畳まれた容器本体１が得られる。
【００２７】
図２（Ｂ）は、容器本体１の側面５、６、７、８を起した状態を示す説明図であり、容器本体１は、方形の底部３と底部３より立ち上がって側部を形成した４つの側面５、６、７、８からなっている。また、底部３には、発熱体４が設けられている。
【００２８】
そして、側面８には、折込片１１ａと折込片１２ａが見えている。折込片１１および折込片１２をそれぞれに設けられた折罫ｍで山折りして、折込片１１ｂと折込片１２ｂをそれぞれ、側面８に接着していて、折込片１１ａと折込片１２ａが外側に出ている。側面６の外面は、図では見えていないが、折込片９ｂと折込片１０ｂが、側面６に接着している同様な構造で、折込片９ａと折込片１０ａが、外側になっている。
【００２９】
側面８に、折込片１１ｂと折込片１２ｂが接着されていて、側面６に、折込片９ａと折込片１０ａが接着されているので、側面５と側面７を持って開くと、側面６と側面８が起き上がってくるので、側面６と側面８を持って起こすことが出来る。そして、側面５と側面７のそれぞれの上端の両端に形成されている切り欠きに、側面６と側面８の上端の両端を掛けるようにすれば、開口が安定される。
【００３０】
図２（Ｃ）は、本発明の電子レンジ加熱調理用容器の一例の蓋２の内面が上を向いた状態を示している。蓋２の内面には、発熱体４が設けられていて、図１で説明したように、容器の内方に挿入可能な略相似形の蓋本体１３と、蓋本体１３の４辺にフラップ１４、１５、１６、１７が設けられていて、フラップ１４とフラップ１６の端縁には、それぞれつまみ１８、１８が設けられている。そして、それぞれの間に折罫が設けられている。
【００３１】
図２（Ｄ）は、本発明の電子レンジ加熱調理用容器の一例の容器本体１に蓋２をした状態を示す説明図である。図２（Ｃ）の蓋２を、裏返して、容器本体１の側面５、６、７、８で囲われた容器本体１の内方に蓋２が挿入されている。
【００３２】
このとき、フラップ１４、１５（１６、１７）が、罫線によって上方に折り曲げられ、側面６、５に接触している。このため、蓋本体１３は上方へ押し上げられることなく、その位置で維持されている。また、つまみ１８がフラップ１４の端縁に設けられている。これによって、蓋２を取り去るときこのつまみ１８を持って、蓋２を摘み上げることができる。
【００３３】
図３は、本発明の電子レンジ加熱調理用容器の一例の断面を模式的に表す説明図である。電子レンジ加熱調理用容器は、底部３より側面６及び側面８が立ち上がって側部が形成され、この容器の内部に食品１９が入れられている。食品１９は、容器本体１の底部３の上に接触して置かれ、食品１９の上には蓋２があり、蓋本体１３の内面に設けられた発熱体４が上から食品１９に接している。
【００３４】
蓋本体１３の左右にはフラップ１６とフラップ１４がありそれぞれ、側面８と側面６に圧接されている。これにより、蓋本体１３が上に持ち上がらないようになっている。図３では記載されていないが、蓋２のフラップ１５、１７も同様にそれぞれ側面５と側面７に圧接されていて、これによっても。蓋本体１３が上に持ち上がらないようになっている。
【００３５】
以上、本例の電子レンジ加熱調理用容器を用いることによって、電子レンジを用いて、食品の上下面に同時に焦げ目をつけることができる。そして、蓋がフラップを有しているので、フラップが容器の側面内側に接触して、容器の中に収納した食品に蓋が接触した位置で維持でき、食品の上面の凹凸をならして、密着することができ、効率的に焦げ目をつけることができる。
【００３６】
そして、容器本体が折畳可能で、使用時まで、折り畳んで保管や輸送ができて便利である。また、フラップにつまみが設けられているので、電子レンジで調理後、つまみを持つことによって、容易に開けることができる。
【００３７】
次に、本発明の電子レンジ加熱調理用容器の他の例について説明する。図４は、本発明の電子レンジ加熱調理用容器の他の例の展開図、図５は、本発明の電子レンジ加熱調理用容器の他の例を折畳んだ状態を示す説明図、図６は、本発明の電子レンジ加熱調理用容器の他の例の断面を模式的に表す説明図である。
【００３８】
本発明の電子レンジ加熱調理用容器の他の例は、図４に示すように、容器本体２１と蓋２２が、屈曲自在部２４を介して連設されている。容器本体２１には、底部２３と、底部２３の４辺に連設される側面２５、２６、２７、２８が設けられている。
【００３９】
側面２５、２６、２７、２８の隣接する２つの側面の間には、それぞれ、折込片２９、３０、３１、３２が前記２つの側面をつなぐように設けられていて、それぞれの間に折罫(図中、折罫は一点破線、あるいは、二点破線で記載)が設けられている。
【００４０】
折込片２９、３０、３１、３２は、斜めの折罫ｍによって、それぞれ、折込片２９ａと折込片２９ｂ、折込片３０ａと折込片３０ｂ、折込片３１ａと折込片３１ｂ、折込片３２ａと折込片３２ｂに分かれている。
【００４１】
側面２７の図の下方には、網点で示される屈曲自在部２４が連設されていて、屈曲自在部２４を介して、蓋２２が連設されている。屈曲自在部２４と側面２７との境目、屈曲自在部２４と蓋２２との境目には、それぞれ、折罫が設けられ、この２つの折罫の間にも、１本以上の折罫が設けられていて、容易に屈曲できるようになっている。
【００４２】
蓋２２には、容器本体２１の内方に挿入可能な、容器本体２１と略相似形の蓋本体３３とその３辺にフラップ３５、３６、３７が設けられていて、屈曲自在部２４と対向する位置のフラップ３６の端縁にはつまみ１８が設けられている。そして、容器本体２１の底部２３と、蓋本体３３のそれぞれの内面には、発熱体４が設けられている。
【００４３】
図５は、本発明の電子レンジ加熱調理用容器の他の例を折畳んだ状態を示す説明図である。本例の電子レンジ加熱調理用容器は、図５のように折り畳めるようになっている。
【００４４】
図４の展開図のブランクを用いて、側面２６と底部２３の間の罫線、側面２５と折込片２９の間の罫線、側面２７と折込片３０の間の罫線を折り、反対側も、側面２８と底部２
３の間の罫線、側面２５と折込片３２の間の罫線、側面２７と折込片３１の間の罫線を折る。
【００４５】
次に、側面２５と底部２３の間の罫線、側面２６と折込片２９の間の罫線、側面２８と折込片３２の間の罫線を折り、折込片２９ｂを側面２６に接着させ、折込片３２ｂを側面２８に接着する。反対側の同様に、側面２７底部２３の間の罫線、側面２６と折込片３０の間の罫線、側面２８と折込片３１の間の罫線を折り、折込片３０ｂを側面２６に接着させ、折込片３１ｂを側面２８に接着する。これによって、図５の折り畳まれた本例の電子レンジ加熱調理用容器が得られる。
【００４６】
図６は、本発明の電子レンジ加熱調理用容器の他の例の断面を模式的に表す説明図である。電子レンジ加熱調理用容器は、底部２３より側面２５及び側面２７が立ち上がって側部が形成され、この容器の内部に食品１９が入れられている。食品１９は、底部２３の上に接触して置かれ、食品１９の上には蓋２があり、蓋本体３３の内面に設けられた発熱体４が上から、食品１９に接している。
【００４７】
蓋本体３３の右にはフラップ３６があり、側面２５に接している。また、蓋本体３３の左は屈曲自在部２４が、側面２７の先端より立ち上がり、折れ曲がって、側面２７の内側面に接している。これによっても蓋本体３３が上に持ち上がらないようになっている。また、フラップ３６の先端につまみ１８が延設されていて、調理後、蓋本体３３を持ち上げやすくしてある。
【００４８】
本例の電子レンジ加熱調理用容器は、このように中に食品を入れて、電子レンジを用いて調理して、食品の上下面に同時に焦げ目をつけることができる。そして、蓋がフラップを有しているので、フラップが容器の側面内側に接触して、容器の中に収納した食品に蓋が接触した位置で維持でき、食品の上面の凹凸をならして、密着することができ、効率的に焦げ目をつけることができる。
【００４９】
そして、容器本体が折畳可能で、使用時まで、折り畳んで保管や輸送ができて便利である。また、フラップにつまみが設けられているので、電子レンジで調理後、つまみを持つことによって、容易に開けることができる。
【００５０】
本発明の電子レンジ加熱調理用容器の構造材料には、マイクロ波を反射せず、あまり吸収もせず、ほとんど透過する材料が好ましい。その様な材料としては、剛性を有する紙や、ポリエチレン、ポリプロピレン、ポリメチルペンテン等のポリオレフィンや、ナイロン、ポリエチレンテレフタレート、ポリカーボネートなどの樹脂が挙げられる。
【００５１】
構造材料として紙を用いる場合は、紙基材単体又は他の紙層を接着性樹脂層を介して積層、或いは耐油性を付与するために紙基材の片面に耐油性層を積層した積層材料、紙基材に耐油剤を内添した材料を順次積層した積層材料などが使用できる。
【００５２】
使用する紙としては、坪量２００〜５００ｇ／ｍ２のバージン紙、カード紙、カップ原紙、コートボール紙などの板紙が使用できる。紙基材に積層する他の紙層としては、晒しクラフト紙、上質紙などが使用でき、接着性樹脂層としては、低密度ポリエチレン樹脂を使用しても良い。
【００５３】
積層する耐油性層にはポリプロピレン系樹脂、ポリエステル系樹脂、ポリメチルペンテン樹脂が好ましく用いることが出来、その厚さは適宜選定できるが、通常１５〜３０μｍである。また、耐油剤としてはフッ素系耐油剤が使用できる。
【００５４】
具体的使用する紙としては、バージン紙は、北越製紙株式会社のＮＥＷタフアイボリー（登録商標）や、富士製紙株式会社のＳＩＥなど、カード紙は、三菱製紙株式会社のパールカード（登録商標）（坪量２６０〜４５０ｇ／ｍ２）など、カップ原紙は、王子特殊紙のＪＦカップ原紙（坪量２００〜４５０ｇ／ｍ２）など、コートボール紙は、王子製紙株式会社のサンコート（登録商標）（坪量２００〜４５０ｇ／ｍ２）などがあげられる。また、フッ素系耐油剤としては、旭硝子株式会社のアサヒガード（登録商標）Ｅ６０などが使用できる。
【００５５】
マイクロ波を吸収し発熱する発熱体は、電子レンジ加熱調理用容器の構造材料と一体として設けても良いし、別にシート状に構成した発熱体を貼着して設けても良い。発熱体は、マイクロ波を照射することによって、少なくとも摂氏１００度以上の温度に発熱する必要がある。摂氏１７０度以上、２５０度以下の発熱温度があることが好ましい。
【００５６】
その様なものとしては、金属薄膜層がある。金属薄膜層にマイクロ波を照射すると渦電流が発生し、この渦電流によりジュール熱が発生して発熱する。ジュール熱は抵抗に比例するので、金属薄膜層の厚さを充分薄くすれば電気抵抗が大きくなり、高い温度が得られる。
【００５７】
その例としては、耐熱プラスチックフィルムに金属を蒸着し、金属薄膜層を設けたものがある。その金属としては、アルミニウムやニッケル、金、銀、亜鉛、白金などが使用できる。金属薄膜層の厚さとしては、２から１０ｎｍ程度の厚さが好適に用いられる。
【００５８】
耐熱プラスチックとしては、ポリエチレンテレフタレート、ポリプロピレン、ポリメチルペンテン、ポリエーテルイミドなどが使用できる。これらの耐熱プラスチックの５から２５μｍ程度のフィルムが用いられる。未延伸でも良いが、二軸延伸フィルムを用いたほうが耐熱性が高く好ましい。また、耐熱プラスチックフィルムに蒸着した金属薄膜層の面に紙層あるいは耐熱性のある発泡樹脂層などを設けても良い。
【００５９】
図７は本発明に用いられる発熱体４０の一例である。耐熱プラスチックフィルム４１として１２μｍのポリエチレンテレフタレートフィルムを用いて、その片面に金属薄膜層４２としてアルミニウムを真空蒸着によって６ｎｍの厚さになるように設け、その金属薄膜層４２の面に接着剤４３を塗布してドライラミネート法により、坪量５０ｇ／ｍ２の紙４４を積層してある。紙としては、ペーハーがほぼ中性の中性紙が、金属薄膜層を侵さないので好ましい。このようにして作られた発熱体を、本発明の電子レンジ加熱調理用容器に貼着して用いることができる。
【符号の説明】
【００６０】
１、２１・・・容器本体
２、２２・・・蓋
３、２３・・・底部
４・・・発熱体
５、６、７、８、２５、２６、２７、２８・・・側面
９、９ａ、９ｂ、１０、１０ａ、１０ｂ、１１、１１ａ、１１ｂ、１２、１２ａ、１２ｂ、２９、２９ａ、２９ｂ、３０、３０ａ、３０ｂ、３１、３１ａ、３１ｂ、３２、３２ａ、３２ｂ・・・折込片
１３、３３・・・蓋本体
１４、１５、１６、１７、３５、３６、３７・・・フラップ
１８・・・つまみ
１９・・・食品
２４・・・屈曲自在部
４０・・・発熱体
４１・・・耐熱プラスチックフィルム
４２・・・金属薄膜層
４３・・・接着剤
４４・・・紙
ｍ・・・斜めの折罫
【図１】
2011230791.tif 000003
【図２】
2011230791.tif 000004
【図３】
2011230791.tif 000005
【図４】
2011230791.tif 000006
【図５】
2011230791.tif 000007
【図６】
2011230791.tif 000008
【図７】
2011230791.tif 000009